(57)【要約】【課題】昼行性家禽類から効率的に採卵することができる照明システムを提供する。【解決手段】照明システム１０は、制御部３１と、制御部３１の制御に基づいて、産卵鶏の産卵期に、６００ｎｍ以上６５０ｎｍ以下の発光ピーク波長を有する光を産卵鶏の飼育領域に照射する光源部２２とを備える。上記光が飼育領域に照射されている発光期間において、光源部２２は、１００Ｈｚ以上の周波数で点滅し、かつ、飼育領域における平均照度は、２３ルクス以下である。【選択図】図２
2019071814.tif 000002
【特許請求の範囲】
【請求項１】
昼行性家禽類の飼育に用いられる照明システムであって、
制御部と、
前記制御部の制御に基づいて、前記昼行性家禽類の産卵期に、６００ｎｍ以上６５０ｎｍ以下の発光ピーク波長を有する光を前記昼行性家禽類の飼育領域に照射する光源部とを備え、
前記光が前記飼育領域に照射されている発光期間において、前記光源部は、１００Ｈｚ以上の周波数で点滅し、かつ、前記飼育領域における平均照度は、２３ルクス以下である
照明システム。
【請求項２】
前記光は、色温度が２４００Ｋ以下の白色光である
請求項１に記載の照明システム。
【請求項３】
前記光は、赤色光である
請求項１に記載の照明システム。
【請求項４】
前記制御部は、前記産卵期において、前記発光期間、及び、前記光源部を消灯させる消灯期間を周期的に繰り返す制御を行う
請求項１〜３のいずれか１項に記載の照明システム。
【請求項５】
前記発光期間及び前記消灯期間の繰り返し周期は、２４時間未満である
請求項４に記載の照明システム。
【請求項６】
前記繰り返し周期は、２３時間以上２４時間未満である
請求項５に記載の照明システム。
【請求項７】
前記産卵期は、前記昼行性家禽類の生後１５０日目以降の期間である
請求項１〜６のいずれか１項に記載の照明システム。
【請求項８】
昼行性家禽類の産卵期に、６００ｎｍ以上６５０ｎｍ以下の発光ピーク波長を有する光を前記昼行性家禽類の飼育領域に照射し、
前記光が前記飼育領域に照射されている発光期間において、前記光源部は、１００Ｈｚ以上の周波数で点滅し、かつ、前記飼育領域における平均照度は、２３ルクス以下である
昼行性家禽類の飼育方法。
【発明の詳細な説明】
【技術分野】
【０００１】
本発明は、昼行性家禽類の飼育に用いられる照明システム、及び、昼行性家禽類の飼育方法に関する。
【背景技術】
【０００２】
鶏の飼育は、産業として、日本を含めた世界各国において盛んに行われている。例えば、特許文献１には、家禽舎内において光源によって照らされる明部の径を、ひなの成長とともに順次大きくする飼育方法が開示されている。
【先行技術文献】
【特許文献】
【０００３】
【特許文献１】特開平０５−１９９８２３号公報
【発明の概要】
【発明が解決しようとする課題】
【０００４】
採卵用の鶏であるレイヤーなどの昼行性家禽類の飼育においては、効率よく採卵できることが求められている。
【０００５】
本発明は、昼行性家禽類から効率的に採卵することができる照明システム、及び、昼行性家禽類の飼育方法を提供する。
【課題を解決するための手段】
【０００６】
本発明の一態様に係る照明システムは、昼行性家禽類の飼育に用いられる照明システムであって、制御部と、前記制御部の制御に基づいて、前記昼行性家禽類の産卵期に、６００ｎｍ以上６５０ｎｍ以下の発光ピーク波長を有する光を前記昼行性家禽類の飼育領域に照射する光源部とを備え、前記光が前記飼育領域に照射されている発光期間において、前記光源部は、１００Ｈｚ以上の周波数で点滅し、かつ、前記飼育領域における平均照度は、２３ルクス以下である。
【０００７】
本発明の一態様に係る鶏の飼育方法は、昼行性家禽類の産卵期に、６００ｎｍ以上６５０ｎｍ以下の発光ピーク波長を有する光を前記昼行性家禽類の飼育領域に照射し、前記光が前記飼育領域に照射されている発光期間において、前記光源部は、１００Ｈｚ以上の周波数で点滅し、かつ、前記飼育領域における平均照度は、２３ルクス以下である。
【発明の効果】
【０００８】
本発明の照明システム、及び、昼行性家禽類の飼育方法によれば、昼行性家禽類から効率的に採卵することができる。
【図面の簡単な説明】
【０００９】
【図１】図１は、実施の形態１に係る照明システムの概要を示す図である。
【図２】図２は、実施の形態１に係る照明システムの機能構成を示すブロック図である。
【図３】図３は、発光制御回路の回路構成の一例を示す図である。
【図４】図４は、発光制御回路の回路構成の別の例を示す図である。
【図５】図５は、光源部が発する赤色光の発光スペクトルの例を示す図である。
【図６】図６は、光源部が発する白色光の発光スペクトルの例を示す図である。
【図７】図７は、実施例において光源部に印加されている電圧の一例を示す図である。
【図８】図８は、比較試験の結果を示す図である。
【図９】図９は、実施の形態２に係る発光制御のフローチャートである。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［構成］
まず、実施の形態１に係る照明システムの構成について説明する。図１は、実施の形態１に係る照明システムの概要を示す図である。図２は、実施の形態１に係る照明システムの機能構成を示すブロック図である。
【００１３】
図１に示されるように、実施の形態１に係る照明システム１０は、昼行性家禽類の飼育に用いられる照明システムである、照明システム１０は、より具体的には、産卵鶏用の照明システムである。照明システム１０は、主として雌鶏用の照明システムである。照明システム１０は、例えば、鶏舎６０に設置される。図１及び図２に示されるように、照明システム１０は、照明装置２０と、制御装置３０とを備える。以下、各装置について詳細に説明する。
【００１４】
［照明装置］
まず、照明装置２０について詳細に説明する。照明装置２０は、鶏舎６０の天井に設置され、鶏舎６０内を照らす。照明装置２０は、鶏舎６０の天井に少なくとも１つ設置されればよく、複数設置されてもよい。照明装置２０は、具体的には、複数の鶏が飼育されている飼育領域７０（鶏舎６０の床）に光を照射する。これにより、鶏舎６０内の鶏に光が照射される。鶏舎６０で飼育される鶏の種類は、例えば、レイヤーであるが、他の種類であってもよい。照明装置２０は、発光制御回路２１と、光源部２２とを備える。
【００１５】
［照明装置：発光制御回路］
発光制御回路２１は、制御装置３０（制御部３１）から出力される制御信号に応じて光源部２２に電力を供給する回路である。図３は、発光制御回路の回路構成の一例を示す図である。
【００１６】
図３に示されるように、発光制御回路２１は、例えば、フライバック方式のスイッチング電源回路である。また、発光制御回路２１は、ＰＷＭ（Ｐｕｌｓｅ  Ｗｉｄｔｈ  Ｍｏｄｕｌａｔｉｏｎ）調光機能を有する。発光制御回路２１は、フィルタ回路Ｆと、整流回路ＤＢと、平滑コンデンサＣ１と、電源制御部２１ａと、スイッチング素子Ｓ１と、トランスＴと、ダイオードＤ１と、平滑コンデンサＣ２と、ＰＷＭ調光回路と、モニタ回路Ｍと、第一絶縁回路Ｉ１と、第二絶縁回路Ｉ２と、調光信号入力回路とを備える。なお、図３では、制御装置３０及び光源部２２も図示されている。図３の例では、電源制御部２１ａは制御装置３０が備える制御部３１の制御に基づいて動作するが、電源制御部２１ａは制御部３１の機能の一部として実現されてもよい。
【００１７】
フィルタ回路Ｆは、電力系統９０から得られる交流電力に含まれるノイズ、及び、電力系統９０に流出するノイズを低減する。フィルタ回路Ｆは、例えば、チョークコイル及びコンデンサによって構成される。
【００１８】
整流回路ＤＢは、フィルタ回路Ｆによってノイズが低減された交流電力を直流電力に変換する回路である。整流回路ＤＢは、具体的には、ダイオードブリッジによって構成される全波整流回路である。平滑コンデンサＣ１は、整流回路ＤＢから出力された直流電力を平滑化する。平滑コンデンサＣ１は、例えば、電解コンデンサである。
【００１９】
電源制御部２１ａは、スイッチング素子Ｓ１を高速でスイッチングする（オン及びオフを繰り返す）制御を行う制御回路（制御ＩＣ）である。スイッチング周波数は、例えば、２０ｋＨｚ以上２００ｋＨｚ以下である。スイッチング素子Ｓ１は、例えば、ＦＥＴである。電源制御部２１ａによってスイッチング素子Ｓ１がスイッチングされると、電磁誘導によってトランスＴの一次巻線から二次巻線へエネルギーが伝達され、二次巻線に電流が流れる。この電流は、ダイオードＤ１によって整流され、平滑コンデンサＣ２によって平滑化される。平滑コンデンサＣ２は、例えば、電解コンデンサである。
【００２０】
電源制御部２１ａは、より具体的には、光源部２２に流れるピーク電流値がほぼ一定となるように、スイッチング周波数またはデューティ比を変更する制御を行う。電源制御部２１ａは、具体的には、モニタ回路Ｍから第一絶縁回路Ｉ１を介して光源部２２に流れるピーク電流値を取得し、当該ピーク電流値がほぼ一定となるようにスイッチング周波数またはデューティ比を変更する制御を行う。ここでのピーク電流値は、例えば、ＰＷＭ調光回路ＤＣが有するスイッチング素子がＯＮ状態であるときの平均電流値を意味する。
【００２１】
モニタ回路Ｍは、光源部２２を流れるピーク電流値をＰＷＭ調光回路ＤＣを介してモニタする回路であり、第一絶縁回路Ｉ１は、フォトカプラなどの絶縁素子を有する回路である。
【００２２】
ＰＷＭ調光回路ＤＣは、光源部２２に印加される電圧のパルス幅を制御する回路である。つまり、ＰＷＭ調光回路ＤＣは、光源部２２に印加されるパルス電圧のデューティ比を制御する回路である。ＰＷＭ調光回路ＤＣは、具体的には、光源部２２と直列に接続されたスイッチング素子を有する。ＰＷＭ調光回路ＤＣは、調光信号入力回路ＩＮから、フォトカプラなどの絶縁素子を有する第二絶縁回路Ｉ２を介して得られる調光信号に基づいて、スイッチング素子をスイッチングすることにより上記パルス幅を制御する。これにより、光源部２２が調光信号に応じて調光される。
【００２３】
以上、発光制御回路２１の回路構成の一例について説明したが、発光制御回路２１は、このような回路構成に限定されない。図４は、発光制御回路２１の回路構成の別の例を示す図である。
【００２４】
図４に示される回路構成においては、調光信号は、調光信号入力回路ＩＮを介して電源制御部２１ａに入力される。電源制御部２１ａは、入力された調光信号に応じて調光制御信号を出力する。調光制御信号は、第二絶縁回路Ｉ２を介してＰＷＭ調光回路ＤＣによって取得される。ＰＷＭ調光回路ＤＣは、取得した調光制御信号に応じて光源部２２に印加される電圧のパルス幅を制御する。これにより、光源部２２が調光信号に応じて調光される。このように、発光制御回路２１の回路構成については特に限定されない。
【００２５】
［照明装置：光源部］
光源部２２は、制御部３１の制御に基づいて発光制御回路２１から光源部２２への電力供給が開始されると、６００ｎｍ以上６５０ｎｍ以下の発光ピーク波長を有する光を発する。光源部２２の発光スペクトルは、例えば、上記発光ピーク波長において最大の明るさとなる。
【００２６】
光源部２２は、例えば、発光素子として赤色ＬＥＤ（Ｌｉｇｈｔ  Ｅｍｉｔｔｉｎｇ  Ｄｉｏｄｅ）を有する発光モジュールであり、６００ｎｍ以上６５０ｎｍ以下の発光ピーク波長を有する赤色光を発する。図５は、光源部２２が発する赤色光の発光スペクトルの例を示す図である。図５では、実線及び破線で図示された２種類の赤色の単色光の発光スペクトルが図示されている。
【００２７】
なお、光源部２２が赤色光を発することは必須ではない。例えば、光源部２２は、６００ｎｍ以上６５０ｎｍ以下の発光ピーク波長を有する白色光を発してもよい。光源部２２は、具体的には、色温度が３５００Ｋ以下の白色光を発してもよい。図６は、光源部２２が発する白色光の発光スペクトルの例を示す図である。図６では、実線及び破線で図示された２種類の白色光の発光スペクトルが図示されている。２種類の発光スペクトルのうち発光ピーク波長が長いほうの発光スペクトルは、２０００Ｋの白色光の発光スペクトルである。
【００２８】
白色光を発する光源部２２は、例えば、青色ＬＥＤ及び蛍光体の組み合わせによって実現される。白色光を発する光源部２２は、具体的には、ＣＯＢ（Ｃｈｉｐ  Ｏｎ  Ｂｏａｒｄ）型の発光モジュール、ＳＭＤ（Ｓｕｒｆａｃｅ  Ｍｏｕｎｔ  Ｄｅｖｉｃｅ）型の発光モジュール、または、リモートフォスファー型の発光モジュールなどによって実現される。白色光を発する光源部２２は、白熱電球または蛍光灯などであってもよい。なお、光源部２２が発する白色光は、黒体軌跡上の白色であってもよいし、黒体軌跡から外れた白色であってもよい。
【００２９】
光源部２２から白色光が発せられる場合、赤色光が発せられる場合よりも鶏舎６０内の作業者の作業性（例えば、人間の視認性）を向上することができる。
【００３０】
［制御装置］
次に、制御装置３０について説明する。制御装置３０は、１以上の照明装置２０を制御するコントローラである。制御装置３０は、制御部３１と、記憶部３２と、計時部３３とを備える。
【００３１】
制御部３１は、照明装置２０の光源部２２の発光制御を行う。制御部３１は、具体的には、マイクロコンピュータによって実現されるが、プロセッサまたは回路によって実現されてもよい。制御部３１は、マイクロコンピュータ、プロセッサ、及び、回路の２つ以上の組み合わせによって実現されてもよい。上述のように、制御部３１には、発光制御回路２１の電源制御部２１ａが含まれてもよい。
【００３２】
記憶部３２は、制御部３１にプロセッサまたはマイクロコンピュータなどが含まれる場合に、制御部３１が実行する制御プログラムが記憶される記憶装置である。記憶部３２は、例えば、半導体メモリによって実現される。
【００３３】
計時部３３は、時間を計測する。計時部３３は、例えば、現在の日時（年月日を含む）を計測する。計時部３３は、具体的には、タイマ回路、リアルタイムクロックＩＣ、または、ソフトウェアタイマなどであるが、どのような態様であってもよい。計時部３３が計測した時間を示す時間情報は、制御部３１に出力され、制御部３１は、計時部３３が計測した時間に応じて光源部２２の制御を行う。
【００３４】
［比較試験］
発明者らは、産卵鶏の産卵期に、発光ピーク波長が６００ｎｍ以上６５０ｎｍ以下の光を当該産卵鶏の飼育領域７０に照射することにより、産卵率及び産卵日量を増大させることができることを見出した。
【００３５】
発明者らは、上記発光ピーク波長が６００ｎｍ以上６５０ｎｍ以下の光として、赤色光を用いた実施例と、産卵鶏の産卵期に、白熱電球が発する白色光を当該産卵鶏の飼育領域７０に照射する比較例との比較試験を行った。図７は、実施例において光源部２２に印加されている電圧の一例を示す図である。
【００３６】
図７に示されるように、実施例においては、光源部２２は、周期的に点灯及び消灯を繰り返す。つまり、光源部２２は、点滅する。光源部２２は、具体的には、１００Ｈｚ以上の周波数ｆで点滅する。このような１００Ｈｚ以上の周波数ｆでの光源部２２の点滅は、人間の目には認識できないため、鶏舎６０内の明るさのちらつきが抑制され、作業者の作業効率等が向上される。また、実施例では、光が飼育領域７０に照射されている発光期間において、飼育領域７０における平均照度は、２３ルクス以下である。つまり、光源部２２が１００Ｈｚ以上の周波数ｆで点滅している期間における、飼育領域７０における平均照度は、２３ルクス以下である。
【００３７】
これに対し、比較例では、光源部として白色光を発する白熱電球が用いられた。比較例において、平均照度などの条件については実施例と同様である。
【００３８】
比較試験においては、比較例及び実施例の２つの照明条件下で、産卵期に属する各々数百羽程度の産卵鶏（つまり、雌鶏）を飼育し、産卵期における、産卵率及び産卵日量を算出した。試験に用いられた産卵鶏は、産卵期以前は、同じ条件で飼育されていたものである。なお、産卵期とは、例えば、産卵鶏の生後１５０日以降５００日程度までの期間である。
【００３９】
図８は、比較試験の結果を示す図である。図８では、比較例の照明条件下における産卵率及び産卵日量を１００％とした場合の実施例の照明条件下における産卵率及び産卵日量の相対値を示している。
【００４０】
図８に示されるように、２回の比較試験のいずれにおいても、実施例の照明条件が用いられることにより、比較例の照明条件よりも産卵率及び産卵日量が向上されている。なお、１ｋｇの卵を得るために必要な飼料の量を示す飼料要求率については、実施例の照明条件と比較例の照明条件とで大きな差は無い。つまり、実施例によれば、産卵鶏に与える飼料の量を増やすことなく、産卵率及び産卵日量を向上させることができる。
【００４１】
また、図示されないが、産卵期の前期、中期、後期の３つの期間に区分すると、３つの期間それぞれにおいて、実施例の照明条件のほうが比較例の照明条件よりも産卵率及び産卵日量が向上された。
【００４２】
なお、実施例の照明条件では、発光ピーク波長が６００ｎｍ以上６５０ｎｍ以下の光として、赤色光が用いられたが、発光ピーク波長が６００ｎｍ以上６５０ｎｍ以下の光として白色光が用いられても同様の効果が得られる。この場合、白色光の色温度が低いほど（色味が赤色に近づくほど）産卵率及び産卵日量を向上させることができる。発明者らの知見によれば、産卵率及び産卵日量を十分に向上させることができる白色光の色温度は、例えば、２４００Ｋ以下である。産卵率及び産卵日量をさらに向上させるためには、白色光の色温度は、２０００Ｋ以下であるとよい。
【００４３】
また、飼育領域７０が明るすぎると、産卵率及び産卵日量を向上させる効果が低下することが確認されている。具体的には、飼育領域７０における平均照度が２３ルクスよりも大きくなると、産卵率及び産卵日量を向上させる効果が低下することが確認されている。したがって、飼育領域７０における平均照度が２３ルクス以下であることは、産卵率及び産卵日量を向上させる効果を十分得るために有用である。
【００４４】
（実施の形態２）
光源部２２が発する光は、産卵期の全期間において飼育領域７０に照射される必要はなく、産卵期の少なくとも一部の期間において飼育領域７０に照射されればよい。
【００４５】
例えば、照明システム１０の制御部３１は、計時部３３によって出力される時間情報に基づいて、光源部２２によって光が飼育領域７０に照射されている発光期間、及び、光源部２２を消灯させる消灯期間を周期的に繰り返す制御が可能である。鶏舎６０内が当該鶏舎６０内に外光が入らない遮光状態である場合にこのような制御が行われれば、鶏舎６０内の産卵鶏に発光期間を日中であると錯覚させ、かつ、消灯期間を夜間であると錯覚させることができる。
【００４６】
一般に、１羽の産卵鶏は、１日に多くとも１つの卵しか産むことができず、１日に複数の卵を産むことはできない。上記制御により、発光期間及び消灯期間の繰り返し周期が２４時間未満の所定期間とされれば、産卵鶏は２４時間未満の所定期間が１日であると錯覚し、２４時間よりも短い期間に１つの卵を得られるようになるため、産卵期に得られる卵の総量を増大させることができる。なお、発光期間及び消灯期間の繰り返し周期とは、発光期間及び当該発光期間に続く消灯期間を合わせた期間を意味する。
【００４７】
以下、実施の形態２として、このような発光制御について説明する。図９は、実施の形態２に係る発光制御のフローチャートである。なお、以下では、繰り返し周期が２３．５時間とされる例について説明される。つまり、以下では、繰り返し周期が２３時間以上２４時間未満である例について説明される。
【００４８】
産卵期において、制御装置３０の制御部３１は、光源部２２を発光させる（Ｓ１１）。言い換えれば、光源部２２は、制御部３１の制御に基づいて、産卵鶏の産卵期に、６００ｎｍ以上６５０ｎｍ以下の発光ピーク波長を有する光を産卵鶏の飼育領域７０に照射する。
【００４９】
続いて、制御部３１は、計時部３３から出力される時間情報に基づいて、発光予定期間が終了したか否かを判定する（Ｓ１２）。発光予定期間は、例えば、１１．７５時間である。
【００５０】
制御部３１は、発光予定期間が終了していないと判定した場合（Ｓ１２でＮｏ）、光源部２２の発光を継続する（Ｓ１１）。一方、制御部３１は、発光予定期間が終了したと判定した場合（Ｓ１２でＹｅｓ）、光源部２２を消灯させる（Ｓ１３）。
【００５１】
続いて、制御部３１は、計時部３３から出力される時間情報に基づいて、消灯予定期間が終了したか否かを判定する（Ｓ１４）。消灯予定期間は、例えば、１１．７５時間である。
【００５２】
制御部３１は、消灯予定期間が終了していないと判定した場合（Ｓ１４でＮｏ）、光源部２２の消灯状態を継続する（Ｓ１３）。一方、制御部３１は、消灯予定期間が終了したと判定した場合（Ｓ１４でＹｅｓ）、光源部２２を発光させる（Ｓ１１）。
【００５３】
このような実施の形態２の発光制御によれば、産卵鶏に２４時間未満の所定期間（例えば、２３．５時間）が１日であると錯覚させることができる。この結果、２４時間よりも短い期間に１つの卵を得られるようになるため、産卵期に得られる卵の総量を増大させることができる。また、上記説明のように、発光予定期間の長さ、及び、消灯予定期間の長さが同一である必要はなく、異なってもよい。発光予定期間及び消灯予定期間の合計が２４時間未満であればよい。
【００５４】
なお、実施の形態２に係る発光制御においては、光源部２２は、例えば、６００ｎｍ以上６５０ｎｍ以下の発光ピーク波長を有する光を産卵鶏の飼育領域７０に照射する。しかしながら、実施の形態２の制御においては、発光期間及び消灯期間が交互に繰り返されればよく、発光期間において、光源部２２は、上記のような発光ピーク波長の要件を満たさない光を照射してもよい。
【００５５】
ところで、発光期間及び消灯期間の繰り返し周期が２４時間よりも大幅に短くなると、産卵鶏に負荷がかかり、産卵期に得られる卵の総量が減少する懸念がある。繰り返し周期が２３時間以上２４時間未満とされれば、産卵鶏への負荷を抑制し、負荷により産卵期に得られる卵の総量が減少することを抑制することができる。
【００５６】
なお、制御部３１は、発光期間から消灯期間に遷移する際に、光源部２２をフェードアウトさせてもよい。つまり、制御部３１は、光源部２２が発する光の明るさを時間をかけて徐々に暗くしてもよい。同様に、制御部３１は、消灯期間から発光期間に遷移する際に、光源部２２の明るさをフェードインさせてもよい。つまり、制御部３１は、光源部２２が発する光の明るさを時間をかけて徐々に明るくしてもよい。
【００５７】
［効果等］
以上説明したように、照明システム１０は、産卵鶏の飼育に用いられる。産卵鶏は、昼行性家禽類の一例である。照明システム１０は、制御部３１と、制御部３１の制御に基づいて、産卵鶏の産卵期に、６００ｎｍ以上６５０ｎｍ以下の発光ピーク波長を有する光を産卵鶏の飼育領域７０に照射する光源部２２とを備える。上記光が飼育領域７０に照射されている発光期間において、光源部２２は、１００Ｈｚ以上の周波数ｆで点滅し、かつ、飼育領域７０における平均照度は、２３ルクス以下である。
【００５８】
このような照明システム１０は、産卵率及び産卵日量を向上させることができる。つまり、照明システム１０は、産卵鶏から効率的に採卵することができる。
【００５９】
例えば、上記光は、色温度が２４００Ｋ以下の白色光である。
【００６０】
このような照明システム１０は、白色光の照射によって産卵率及び産卵日量を向上させることができる。また、飼育領域７０に赤色光が照射される場合よりも、鶏舎６０内の作業者の作業性を向上させることができる。
【００６１】
例えば、上記光は、赤色光である。
【００６２】
このような照明システム１０は、赤色光の照射によって産卵率及び産卵日量を向上させることができる。
【００６３】
例えば、制御部３１は、産卵期において、上記発光期間、及び、光源部２２を消灯させる消灯期間を周期的に繰り返す制御を行う。
【００６４】
このような照明システム１０は、発光期間及び消灯期間の繰り返し周期が２４時間未満の所定期間とされれば、産卵鶏に当該所定期間が１日であると錯覚させることができる。この結果、２４時間未満の所定期間に１つの卵を得られるようになるため、産卵期に得られる卵の総量を増大させることができる。
【００６５】
例えば、発光期間及び消灯期間の繰り返し周期は、２４時間未満である。
【００６６】
このような照明システム１０は、産卵鶏に２４時間未満の所定期間が１日であると錯覚させることができる。この結果、２４時間未満の所定期間に１つの卵を得られるようになるため、産卵期に得られる卵の総量を増大させることができる。
【００６７】
例えば、繰り返し周期は、２３時間以上２４時間未満である。
【００６８】
このような照明システム１０は、産卵鶏への負荷を抑制し、負荷により産卵期に得られる卵の総量が減少することを抑制することができる。
【００６９】
例えば、産卵期は、産卵鶏の生後１５０日目以降の期間である。
【００７０】
このような照明システム１０は、産卵鶏の生後１５０日目以降の期間において、産卵率及び産卵日量を向上させることができる。
【００７１】
また、本発明は、昼行性家禽類（具体的には、産卵鶏）の飼育方法として実現されてもよい。このような飼育方法は、産卵鶏の産卵期に、６００ｎｍ以上６５０ｎｍ以下の発光ピーク波長を有する光を産卵鶏の飼育領域７０に照射し、上記光が飼育領域７０に照射されている発光期間において、光源部２２は、１００Ｈｚ以上の周波数ｆで点滅し、かつ、飼育領域７０における平均照度は、２３ルクス以下である。産卵鶏は、昼行性家禽類の一例である。
【００７２】
このような昼行性家禽類の飼育方法は、産卵率及び産卵日量を向上させることができる。つまり、このような昼行性家禽類の飼育方法は、産卵鶏から効率的に採卵することができる。
【００７３】
（その他の実施の形態）
以上、実施の形態に係る照明システム、及び、昼行性家禽類の飼育方法について説明したが、本発明は、上記実施の形態に限定されない。
【００７４】
例えば、上記実施の形態で説明された光源部の構成は、一例である。光源部には、蛍光管、メタルハライドランプ、ナトリウムランプ、ハロゲンランプ、キセノンランプ、または、ネオン管等が用いられてもよい。また、光源部には、無機エレクトロルミネッセンス、有機エレクトロルミネッセンス、ケミルミネッセンス（化学発光）、または、半導体レーザー等が使用されてもよい。
【００７５】
また、光源部は、分光フィルタ等によって６００ｎｍ以上６５０ｎｍ以下の発光ピーク波長を有する光を発してもよい。例えば、光源部は、白熱電球が赤色フィルムで覆われた構成により、６００ｎｍ以上６５０ｎｍ以下の発光ピーク波長を有する光を発してもよい。光源部の具体的構成は、６００ｎｍ以上６５０ｎｍ以下の発光ピーク波長を有する光を発することができるのであれば、特に限定されない。
【００７６】
また、上記実施の形態に係る照明システムは、鶉（ウズラ）、アヒル、ダチョウ、または、鳩など、鶏以外の昼行性家禽類の飼育に用いられてもよい。
【００７７】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、照明装置の制御方法として実現されてもよいし、照明装置の制御方法をコンピュータに実行させるためのプログラムとして実現されてもよいし、上記実施の形態に係る制御装置として実現されてもよい。
【００７８】
また、上記実施の形態において、制御部などの構成要素の全部または一部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７９】
また、上記実施の形態における構成要素の装置への振り分けは、一例である。例えば、照明装置と制御装置とが１つの装置として実現されてもよい。また、照明装置は、制御装置の機能の一部を有してもよい。また、制御部が備える記憶部は、照明システムの外部に設けられた記憶装置として実現されてもよい。
【００８０】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００８１】
１０  照明システム
２２  光源部
３１  制御部
７０  飼育領域
【図１】
2019071814.tif 000003
【図２】
2019071814.tif 000004
【図３】
2019071814.tif 000005
【図４】
2019071814.tif 000006
【図５】
2019071814.tif 000007
【図６】
2019071814.tif 000008
【図７】
2019071814.tif 000009
【図８】
2019071814.tif 000010
【図９】
2019071814.tif 000011